(57)【要約】少なくともひとつの携帯型記憶表示機器の共通の指定された集合に含まれるデジタル画像を保存、保持、共有、表示するための機器、システム、方法およびソフトウェア製品。この機器は、デジタル機器によって取得された画像を保存するよう指定された第一のメモリ部分と、指定された集合のデジタル画像を保存するための第二のメモリ部分を有する。第二のメモリ部分には保護モードがあり、このモードでは、デジタル表示記憶機器の使用者が保護モードを無効にしないかぎり、第二のメモリ部分の中のデジタル画像が削除または上書きされないよう保護される。第二の部分の保護モードが無効にされると、機器は第二のメモリ部分のデジタル画像の上に、新たに撮影されたデジタル画像を上書きする。
2008515280.tif 000002
【特許請求の範囲】
【請求項１】
デジタル画像を保存および表示するためのメモリを備えるデジタル表示記憶機器であって、
前記メモリは前記デジタル表示記憶機器によって取得された画像を保存するよう指定された第一の部分と、デジタル画像を保存するための第二のメモリ部分を有し、前記第二のメモリ部分には保護モードがあり、このモードおいては前記デジタル表示記憶機器の使用者が保護モードを無効にしないかぎり、前記第二のメモリ部分の中の前記デジタル画像の削除または上書きが防止され、前記第二の部分の前記保護モードが無効にされると、前記デジタル表示記憶機器は、前記第二のメモリ部分の前記デジタル画像の上に前記新たに撮影されたデジタル画像を上書きし、前記第二のメモリ部分の中の上書きされた前記デジタル画像は、前記デジタル表示記憶機器が前記上書きされたデジタル画像を復元するための情報を持つデータベースと通信リンクしている状態になっている時で、前記第二のメモリの中の前記新たに取得された画像が前記デジタル表示記憶機器から消去された後に、前記第二のメモリ部分に復元されることを特徴とするデジタル表示記憶機器。
【請求項２】
請求項１に記載のデジタル表示記憶機器であって、
前記第二のメモリ部分の中の前記デジタル画像は、前記保護モードが無効にされたとき、前記新たに取得されたデジタル画像を保存するのに必要な範囲でのみ上書きされることを特徴とするデジタル表示記憶機器。
【請求項３】
請求項１に記載のデジタル表示記憶機器であって、
前記第二のメモリ部分の中の前記デジタル画像は、前記第一のメモリ部分が新たに取得されたデジタル画像をそれ以上記憶できなくなるまで、かつ前記保護モードが無効にされまで、上書きされないことを特徴とするデジタル表示記憶機器。
【請求項４】
請求項１に記載のデジタル表示記憶機器であって、
前記新たに取得されたデジタル画像の消去は、前記取得された画像を前記データベースにアップロードすることであることを特徴とするデジタル表示記憶機器。
【請求項５】
請求項１に記載のデジタル表示記憶機器であって、
前記第二のメモリ部分に、その中に保存すべきものとして特定された画像を保存するのに実際に必要なメモリ需要量が前記第二のメモリ部分に割り付けられたメモリ容量より小さい場合、前記第二のメモリ部分の中の余剰メモリは、前記デジタル表示記憶機器によって取得された新しい画像に関して使用できることを特徴とする前記デジタル表示記憶機器。
【請求項６】
請求項１に記載のデジタル表示記憶機器であって、
デジタル表示記憶機器に記憶されている選択された画像の印刷は、前記選択された画像についてより高解像度のものが記憶されているホスト機器を通じて行われ、前記高解像度の画像が前記印刷に使用されることを特徴とするデジタル表示記憶機器。
【請求項７】
請求項１に記載のデジタル表示記憶機器であって、
前記ホスト機器は、前記より高解像度の画像が記憶されている部分に固有の識別表示を有し、前記固有の識別表示を使って前記デジタル表示記憶機器と前記ホスト機器との間のオーソライズされた通信が許可されることを特徴とするデジタル表示記憶機器。
【請求項８】
請求項１に記載のデジタル表示記憶機器であって、
前記デジタル表示記憶機器は、前記デジタル表示記憶機器と前記ホスト機器との間のオーソライズされた通信を許可するために使用される固有の識別表示を有することを特徴とするデジタル表示記憶機器。
【請求項９】
請求項１に記載のデジタル表示記憶機器であって、
前記表示記憶機器はデジタルカメラであることを特徴とするデジタル表示記憶機器。
【請求項１０】
請求項１に記載のデジタル表示記憶機器であって、
前記表示記憶機器はＰＤＡであることを特徴とするデジタル表示記憶機器。
【請求項１１】
請求項１に記載のデジタル表示記憶機器であって、
前記表示記憶機器はポータブルコンピュータであることを特徴とするデジタル表示記憶機器。
【請求項１２】
請求項１に記載のデジタル表示記憶機器であって、
前記表示記憶機器は携帯電話機内蔵カメラであることを特徴とするデジタル表示記憶機器。
【請求項１３】
デジタル画像を記憶するためのメモリを有するデジタル表示記憶機器であって、
前記メモリは前記デジタル表示記憶機器によって取得された画像を第一の解像度で記憶するために指定された第一の部分と、指定されたデジタル画像を前記第一の解像度より低い第二の解像度で記憶するための第二のメモリ部分を有し、前記第二の部分には保護モードがあり、このモードにおいては前記デジタル表示記憶機器の使用者が前記保護モードを無効にするまで前記第二のメモリ部分の中の前記デジタル画像の削除および／または上書きが防止され、前記第二の部分の前記保護モードが無効にされると、前記デジタル表示記憶機器の取得された画像は、前記第二のメモリ部分の中の前記デジタル画像の上に、前記新たに取得されたデジタル画像を上書きし、前記第二の部分の前記指定されたデジタル画像は、前記デジタル表示記憶機器と通信可能なホストコンピュータ上の命令によって管理されることを特徴とするデジタル表示記憶機器。
【請求項１４】
請求項１３に記載のデジタル表示記憶機器であって、
前記第二のメモリ部分の中の前記デジタル画像は、前記新たに取得されたデジタル画像を記憶するのに必要な範囲でのみ上書きされることを特徴とするデジタル表示記憶機器。
【請求項１５】
請求項１３に記載のデジタル表示記憶機器であって、
前記第二のメモリ部分の中の前記デジタル画像は、前記第一のメモリ部分が新しく取得されたデジタル画像をそれ以上記憶できなくなるまで上書きされないことを特徴とするデジタル表示記憶機器。
【請求項１６】
請求項１３に記載のデジタル表示記憶機器であって、
前記新たに取得されたデジタル画像の消去は、前記新たに取得された画像を前記データベースにアップロードすることであることを特徴とするデジタル表示記憶機器。
【請求項１７】
請求項１３に記載のデジタル表示記憶機器であって、
前記第二のメモリ部分に、その中に記憶されるものとして特定された画像を記憶するのに必要な実際のメモリ需要量が前記第二のメモリ部分に割り付けられたメモリ容量より小さい場合、前記第二のメモリ部分の余剰メモリは、前記デジタル表示記憶機器によって取得された新しい画像に関して使用されることを特徴とするデジタル表示記憶機器。
【請求項１８】
請求項１３に記載のデジタル表示記憶機器であって、
前記デジタル表示記憶機器に記憶されている選択された画像の印刷は、前記選択された画像についてより高い解像度のものが記憶されているホスト機器を通じて行われ、前記高解像度の画像が前記印刷のために使用されることを特徴とするデジタル表示記憶機器。
【請求項１９】
請求項１３に記載のデジタル表示記憶機器であって、
前記ホスト機器は、前記より高解像度の画像が記憶されている場所に固有の識別表示を有し、前記識別表示を使って前記デジタル表示記憶機器と前記ホストコンピュータの間のオーソライズされた通信が許可されることを特徴とするデジタル表示記憶機器。
【請求項２０】
請求項１３に記載のデジタル表示記憶機器であって、
前記デジタル表示記憶機器は、前記デジタル表示記憶機器と前記ホストコンピュータとの間のオーソライズされた通信を許可するのに使用される固有の識別表示を有することを特徴とするデジタル表示記憶機器。
【請求項２１】
請求項１３に記載のデジタル表示記憶機器であって、
前記表示記憶機器はデジタルカメラであることを特徴とするデジタル表示記憶機器。
【請求項２２】
請求項１３に記載のデジタル表示記憶機器であって、
前記表示記憶機器はＰＤＡであることを特徴とするデジタル表示記憶機器。
【請求項２３】
請求項１３に記載のデジタル表示記憶機器であって、
前記表示記憶機器はポータブルコンピュータであることを特徴とするデジタル表示記憶機器。
【請求項２４】
請求項１３に記載のデジタル表示記憶機器であって、
前記表示記憶機器は携帯電話機内蔵カメラであることを特徴とするデジタル表示記憶機器。
【請求項２５】
特定された指定集合の中に入れるものとして指定されたデジタル画像を管理するためのシステムであって、
前記デジタル表示記憶機器と通信可能なコンピュータを備え、前記コンピータはその上の特定された集合の中に入れるものとして指定されていたデジタル画像を含む前記データベースを有し、前記第二のメモリ部分における前記デジタル画像の復元を可能し、
また、前記デジタル画像を記憶するためのメモリを有する少なくともひとつのデジタル表示記憶機器を備え、前記メモリは前記デジタル表示記憶機器によって取得されたデジタル画像を記憶するために指定された第一の部分と、前記コンピュータ上の前記特定された指定集合の中の前記画像に対応するデジタル画像を記憶するための第二のメモリ部分を有し、前記第二のメモリ部分は保護モードを有し、このモードにおいては、前記デジタル表示記憶機器の使用者が前記保護モードを無効にするまで前記第二のメモリ部分の中の前記デジタル画像の削除が防止され、前記第二の部分の前記保護モードが無効にされると、前記デジタル表示記憶機器は、前記第二のメモリ部分の中の前記デジタル画像の上に新たに取得されたデジタル画像を上書きすることができ、前記表示記憶機器がデータベースと通信リンクしているときに、前記第二のメモリの中の前記新たに取得されたデジタル画像が消去された後、前記第二のメモリは前記コンピュータ上の前記特定された集合の中の前記デジタル画像に対応するよう復元されることを特徴とするシステム。
【請求項２６】
請求項２５に記載のシステムであって、
前記第二のメモリ部分の中の前記デジタル画像は、前記新たに取得されたデジタル画像を記憶するのに必要な範囲でのみ上書きされることを特徴とするシステム。
【請求項２７】
請求項２５に記載のシステムであって、
前記第二のメモリ部分の中の前記デジタル画像は、前記第一のメモリ部分が取得されたデジタル画像をそれ以上記憶することができなくなるまで上書きされないことを特徴とするシステム。
【請求項２８】
請求項２５に記載のシステムであって、
前記新たに取得されたデジタル画像の消去は、前記新たに取得された画像を前記データベースにアップロードすることであることを特徴とするシステム。
【請求項２９】
請求項２５に記載のシステムであって、
前記少なくともひとつの表示記憶機器は、複数の表示記憶機器からなることを特徴とするシステム。
【請求項３０】
請求項２９に記載のシステムであって、
前記複数の表示記憶機器の各々の前記第二のメモリ部分は、同じデジタル画像を有するように設計されていることを特徴とするシステム。
【請求項３１】
請求項２５に記載のシステムであって、
前記表示記憶機器はデジタルカメラであることを特徴とするシステム。
【請求項３２】
請求項２５に記載のシステムであって、
前記表示記憶機器はＰＤＡであることを特徴とするシステム。
【請求項３３】
請求項２５に記載のシステムであって、
前記表示記憶機器はポータブルコンピュータであることを特徴とするシステム。
【請求項３４】
請求項２５に記載のシステムであって、
前記表示記憶機器は携帯電話機内蔵カメラであることを特徴とするシステム。
【請求項３５】
請求項２５に記載のシステムであって、
前記コンピュータは、通信ネットワーク上でアクセス可能なサービスプロバイダに配置されていることを特徴とするシステム。
【請求項３６】
デジタル表示記憶機器の制御に使用されるソフトウェア製品であって、
前記デジタル表示記憶機器は、デジタル画像を記憶するためのメモリと他の機器と通信する通信機能を有し、コンピュータプログラムが、前記デジタル表示記憶機器にロードされると、
前記表示記憶機器に、
前記メモリの第一のメモリ部分の中に取得されたデジタル画像を記憶させるステップと、
前記メモリの第二のメモリ部分に指定されたデジタル画像を記憶させるステップであって、前記第二のメモリ部分は保護モードを有し、このモードでは、前記第二のメモリ部分の中の前記デジタル画像の削除が防止されるステップと、
前記デジタル表示記憶機器の使用者が前記保護モードを無効にすることを許可し、前記第二のメモリ部分の前記保護モードが無効にされると、前記デジタル表示記憶機器は前記第二のメモリ部分の中の前記デジタル画像の上に、前記新たに取得されたデジタル画像を上書きできるようにするステップと、
前記カメラが上書きされた前記デジタル画像を復元するための情報を持つデータベースと通信するときに、前記第二のメモリ部分の中の上書きされた前記デジタル画像を前記第二のメモリ部分に復元するステップと、
を実行させることを特徴とするソフトウェア製品。
【請求項３７】
請求項３６に記載のソフトウェア製品であって、
前記第二のメモリ部分における前記上書きされた画像を復元する前記ステップは、前記第二のメモリ部分の中の前記新たに取得された画像が前記データベースにアップロードされた後に行われることを特徴とするソフトウェア製品。
【請求項３８】
ソフトウェア製品であって、
前記ソフトウェアのプログラムがコンピュータ上にロードされると、前記コンピュータに、
前記コンピュータの中の指定集合および少なくともひとつのデジタル表示記憶機器の中の対応する集合の中のデジタル画像の記憶を管理するステップであって、前記デジタル表示記憶機器はデジタル画像を記憶するためのメモリと、前記コンピュータと通信するための通信機能を有し、前記メモリは前記表示記憶機器により取得されたデジタル画像を記憶するための第一の部分と、指定されたデジタル画像を長期的に記憶するための第二のメモリ部分を有し、前記プログラムは、どのデジタル画像を前記少なくともひとつの表示記憶機器の前記第二のメモリ部分の中に収めるかを管理し、前記少なくともひとつの表示記憶機器は、前記第二のメモリ部分の中の前記デジタル画像の削除を防止する保護モードを有し、前記デジタル表示記憶機器の使用者が前記保護モードを無効にすることを許可し、前記第二のメモリ部分の前記保護モードが無効にされると、前記デジタル表示記憶機器は前記第二のメモリ部分の中の前記デジタル画像の上に前記取得されたデジタル画像を上書きするステップと、
前記表示記憶機器がコンピュータと通信しているときに、前記第二のメモリ部分の中の前記指定集合の中の、上書きされた前記デジタル画像を復元するステップと、
を実行させることを特徴とするソフトウェア製品。
【請求項３９】
複数の関連機器の間でデジタル画像の指定された集合を維持する方法であって、
a.第一の機器の中にデジタル画像の管理指定集合を維持するステップであって、前記第一の機器は前記第一の機器の中に何が維持されるかを管理するとともに、取得される前記画像の最高解像度と同等もしくはそれ以下の指定解像度で保持するよう管理し、前記第一の機器は前記管理指定集合にデジタル画像を追加し、および／またはここから削除する能力を有し、前記第一の機器は少なくともひとつの関連する表示記憶機器と通信リンクを確立し、前記少なくともひとつの表示記憶機器の中に前記管理指定集合に対応するデジタル画像の対応集合を第二の指定された解像度で管理する能力を有し、前記少なくともひとつの関連する記憶表示機器の各々はデジタル画像を取得し、前記新たに取得された画像が前記管理指定集合に追加されるべきか否かを特定する能力を有し、前記デジタル画像の対応集合は、前記少なくともひとつのデジタル表示記憶機器の使用者によってとられた具体的な行動によってのみ上書き可能である保護されたメモリ位置に配置されるステップと、
ｂ．前記第一の機器と前記少なくともひとつの表示記憶機器との間に通信リンクを確立するステップと、
ｃ．前記第一の機器が前記少なくともひとつの関連機器と通信リンクしているときに、前記第一の機器における前記管理指定集合を自動的に更新するとともに、前記少なくともひとつの関連する記憶表示機器の前記対応集合を更新するステップを含む
ことを特徴とする方法。
【請求項４０】
デジタル画像を記憶、表示するためのメモリを有するデジタルカメラであって、
前記メモリは前記デジタルカメラによって取得される画像を記憶するために指定された第一の部分とデジタル画像を記憶するための第二のメモリ部分を有し、前記第二のメモリ部分は保護モードを有し、このモードでは、前記デジタルカメラの使用者によって前記保護モードを無効にされるまで、前記第二のメモリ部分の中の前記デジタル画像の削除もしくは上書きが防止され、前記第二の部分の前記保護モードが無効にされると、前記デジタルカメラは前記第二のメモリ部分の中の前記デジタル画像の上に前記新たに撮影されたデジタル画像を上書きし、前第二のメモリ部分の中の上書きされた前記デジタル画像は、前記デジタルカメラが上書きされた前記デジタル画像を復元するための情報を有するデータベースと通信リンクしているときであって、前記第二のメモリの中の前記新たに撮影された画像が前記デジタルカメラから消去された後に前記第二のメモリ部分に復元されることを特徴とするデジタルカメラ。
【請求項４１】
請求項４０に記載のデジタルカメラであって、
前記第二のメモリ部分の中の前記デジタル画像は、前記保護モードが無効にされたとき、前記新たに取得されたデジタル画像を記憶するのに必要な範囲でのみ、上書きされることを特徴とするデジタルカメラ。
【請求項４２】
請求項４０に記載のデジタルカメラであって、
前記第二のメモリ部分の中の前記デジタル画像は、前記第一のメモリ部分が新たに取得されたデジタル画像をそれ以上記憶することができなくなるまで、かつ前記保護モードが無効にされるまで上書きされないことを特徴とするデジタルカメラ。
【請求項４３】
請求項４０に記載のデジタルカメラであって、
前記新たに取得されたデジタル画像の消去は、前記取得された画像を前記データベースにアップロードすることであることを特徴とするデジタルカメラ。
【請求項４４】
請求項４０に記載のデジタルカメラであって、
前記第二のメモリ部分の中の、その中に記憶されるべきであるとして特定された画像を記憶するのに必要な実際のメモリ需要量が前記第二のメモリ部分に割り付けられたメモリ容量より小さい場合、前記第二のメモリ部分の余剰メモリは、前記デジタルカメラによって取得された新たな画像に関して使用することができることを特徴とするデジタルカメラ。
【請求項４５】
請求項４０に記載のデジタルカメラであって、
デジタル表示記憶機器に記憶されたもののうちの選択された画像の印刷は、前記選択された画像についてより高い解像度のものが記憶されているホスト機器を通じて実行され、高解像度の画像が前記印刷に使用されることを特徴とするデジタルカメラ。
【請求項４６】
請求項４０に記載のデジタルカメラおよび記憶機器であって、
前記ホスト機器は、より高解像度の画像が記憶される場所に固有の識別表示を有し、前記固有の識別表示を使って、前記デジタル表示記憶機器と前記ホスト機器との間のオーソライズされた通信が許可されることを特徴とするデジタルカメラおよび記憶機器。
【請求項４７】
請求項４０に記載のデジタルカメラおよび記憶機器であって、
前記デジタル表示記憶機器は、前記デジタル表示記憶機器と前記ホスト機器との間のオーソライズされた通信を許可するために使用される固有の識別表示を有することを特徴とするデジタルカメラおよび記憶機器。
【請求項４８】
デジタル画像を記憶するためのメモリを有するデジタルカメラであって、
前記メモリは前記デジタルカメラによって撮影された画像を第一の解像度で記憶するために指定された第一の部分と、指定されたデジタル画像を前記第一の解像度より低い第二の解像度で記憶するための第二のメモリ部分を有し、前記第二の部分は保護モードを有し、このモードでは、前記デジタルカメラの使用者が前記保護モードを無効にするまで前記第二のメモリ部分の中の前記デジタル画像の削除および／または上書きが防止され、前記第二の部分の前記保護モードが無効にされると、前記第二のメモリ部分の中の前記デジタル画像の上に前記新たに撮影されたデジタル画像を上書きし、前記第二の部分の中の前記指定されたデジタル画像は、前記デジタルカメラと通信可能なホストコンピュータ上の命令によって管理されることを特徴とするデジタルカメラ。
【請求項４９】
請求項４８に記載のデジタルカメラであって、
前記第二のメモリ部分の中の前記デジタル画像は、前記新たに取得されたデジタル画像を記憶するのに必要な範囲でのみ上書きされることを特徴とするデジタルカメラ。
【請求項５０】
請求項４８に記載のデジタルカメラであって、
前記第二のメモリ部分の中の前記デジタル画像は、前記第一のメモリ部分が新たに取得されたデジタル画像をそれ以上記憶できなくなるまで上書きされないことを特徴とするデジタルカメラ。
【請求項５１】
請求項４８に記載のデジタルカメラであって、
前記新たに撮影されたデジタル画像の消去は、前記新たに撮影された画像を前記データベースにアップロードすることであることを特徴とするデジタルカメラ。
【請求項５２】
請求項４８に記載のデジタルカメラであって、
前記第二のメモリ部分の中の、その中に記憶するべきものとして特定された画像を記憶するのに実際に必要なメモリ需要量が前記第二のメモリ部分に割り付けられたメモリ容量より小さい場合、前記第二のメモリ部分の余剰メモリは、前記デジタルカメラによって取得された新たな画像に関して使用することができることを特徴とするデジタルカメラ。
【請求項５３】
請求項４８に記載のデジタルカメラであって、
デジタル表示記憶機器に記憶されたもののうち選択された画像は、前記選択された画像についてより高解像度のものが記憶されているホストコンピュータを通じて実行され、高解像度の画像が前記印刷に使用されることを特徴とするデジタルカメラ。
【請求項５４】
請求項５３に記載のデジタルカメラであって、
前記ホストコンピュータは、前記より高解像度の画像が記憶されている場所に固有の識別表示を有し、前記固有の識別表示を使い、前記デジタル表示記憶機器と前記ホスト機器との間のオーソライズされた通信が許可されることを特徴とするデジタルカメラ。
【請求項５５】
請求項５３に記載のデジタルカメラ記憶機器であって、
前記デジタル表示記憶機器は、前記デジタル表示記憶機器と前記ホストコンピュータとの間のオーソライズされた通信を許可するために使用される固有の識別表示を有することを特徴とするデジタルカメラ記憶機器。
【請求項５６】
特定された指定集合の中に入れるものとして指定されたデジタル画像を管理するシステムであって、
前記デジタルカメラと通信できるコンピュータであって、特定集合の中に入れるものとして指定されたデジタル画像を含んでおり、前記第二のメモリ部分の中の前記デジタル画像の復元を可能にする前記データベースを有するコンピュータと、
デジタル画像を記憶するためのメモリを有する少なくともひとつのデジタルカメラであって、前記メモリは前記デジタルカメラによって取得されたデジタル画像を記憶するよう指定された第一の部分と、前記コンピュータ上の前記特定された指定集合に対応するデジタル画像を記憶するための第二のメモリ部分を有し、前記第二のメモリは保護モードを有し、このモードでは、前記デジタルカメラの使用者によって前記保護モードが無効にされるまで前記第二のメモリ部分の中の前記デジタル画像の削除が防止され、前記第二の部分の前記保護モードが無効にされると、前記デジタルカメラは、前記第二のメモリ部分の中の前記デジタル画像の上に新たに取得されたデジタル画像を上書きすることができ、前記第二のメモリは、前記カメラがデータベースと通信リンクした状態となって、前記第二のメモリの中の前記新たに取得されたデジタル画像が消去された後に、前記コンピュータ上の前記特定集合の中の前記デジタル画像に対応するよう復元されるデジタルカメラと、
を含むことを特徴とするシステム。
【請求項５７】
請求項５６に記載のシステムであって、
前記第二のメモリ部分の中の前記デジタル画像は、前記新たに取得されたデジタル画像を記憶するのに必要な範囲でのみ上書きされることを特徴とするシステム。
【請求項５８】
請求項５６に記載のシステムであって、
前記第二のメモリ部分の中の前記デジタル画像は、前記第一のメモリ部分が取得されたデジタル画像をそれ以上記憶できなくなるまで上書きされないことを特徴とするシステム。
【請求項５９】
請求項５６に記載のシステムであって、
前記新たに取得されたデジタル画像の消去は、前記新たに撮影された画像を前記データベースにアップロードすることであることを特徴とするシステム。
【請求項６０】
請求項５６に記載のシステムであって、
前記少なくともひとつのカメラは複数のカメラであることを特徴とするシステム。
【請求項６１】
請求項６０に記載のシステムであって、
前記複数のカメラの前記第二のメモリ部分の各々は、同じデジタル画像を持つように設計されていることを特徴とするシステム。
【請求項６２】
請求項５６に記載のシステムであって、
前記コンピュータは、通信ネットワーク上でアクセス可能なサービスプロバイダに配置されていることを特徴とするシステム。
【請求項６３】
デジタルカメラを制御するために使用されるソフトウェア製品であって、
前記デジタルカメラはデジタル画像を記憶するためのメモリと、他の機器と通信するための通信機能を有し、コンピュータプログラムは、前記デジタルカメラにロードされると、
前記デジタルカメラに、
撮影されたデジタル画像が前記メモリの第一のメモリ部分に記憶されるのを可能にするステップと、
指定されたデジタル画像が前記メモリの第二のメモリ部分に記憶されるのを可能にするステップであって、前記第二のメモリ部分は前記第二のメモリ部分の中の前記デジタル画像の削除を防止する保護モードを有するステップと、
前記デジタルカメラの使用者が前記保護モードを無効にすることを可能にし、前記第二のメモリ部分の前記保護モードが無効にされると、前記デジタルカメラが前記第二のメモリ部分の中の前記デジタル画像の上に前記新たに取得されたデジタル画像を上書きすることができるようにするステップと、
前記カメラが、上書きされた前記デジタル画像を復元するための情報を有するデータベースと通信しているときに、前記第二のメモリ部分の中の上書きされた前記デジタル画像を復元するステップと、
を前記カメラに以下のステップを実行させることを特徴とするソフトウェア製品。
【請求項６４】
請求項６３に記載のソフトウェ製品であって、
前記第二のメモリ部分の中の前記上書きされた画像を復元する前記ステップは、前記第二のメモリの中の前記新たに撮影された画像が前記データベースにアップロードされた後に行われることを特徴とするソフトウェア製品。
【請求項６５】
ソフトウェアプログラムであって、前記ソフトウェアプログラムがコンピュータにロードされると、前記コンピュータに、
前記コンピュータの指定集合および少なくともひとつのデジタルカメラの対応集合の中のデジタル画像の記憶を管理するステップであって、前記デジタルカメラはデジタル画像を記憶するためのメモリと、前記コンピュータと通信するための通信機能を有し、前記メモリは前記カメラにより取得されたデジタル画像を記憶するための第一の部分と、指定されたデジタル画像を長期的に記憶するための第二のメモリ部分を有し、前記プログラムは、どのデジタル画像を前記少なくともひとつのカメラの前記第二のメモリ部分の中に収めるかを管理し、前記少なくともひとつのカメラは、前記第二のメモリ部分の中の前記デジタル画像の削除を防止する保護モードを有し、前記デジタルカメラの使用者が前記保護モードを無効にすることができ、前記第二のメモリ部分の前記保護モードが無効にされると、前記デジタルカメラは前記第二のメモリ部分の中の前記デジタル画像の上に前記取得されたデジタル画像を上書きするステップと、
前記カメラがコンピュータと通信しているときに、前記第二のメモリ部分の中の前記指定の集合の中の、上書きされた前記デジタル画像を復元するステップと、
を実行させることを特徴とするソフトウェアプログラム。
【請求項６６】
複数の機器の間でデジタル画像の指定集合を維持する方法であって、
a.第一の機器の中にデジタル画像の管理指定集合を、前記指定集合の中に前記第一の機器によって取得される前記画像の最高解像度と同等もしくはそれ以下の指定解像度で保持されるものを管理するために維持するステップであって、前記第一の機器は前記管理指定集合にデジタル画像を追加し、および／またはここから削除する能力を有し、前記第一の機器は少なくともひとつのカメラと通信リンクを確立し、前記少なくともひとつのカメラの中に前記指定集合に対応するデジタル画像の対応集合を前記指定解像度で管理する能力を有し、前記少なくともひとつの関連する記憶表示機器の各々はデジタル画像を取得し、前記新たに取得された画像が前記管理指定集合に追加されるべきか否かを特定する能力を有し、前記対応集合は、前記少なくともひとつのデジタルカメラの使用者が具体的な行動をとることによってのみ上書き可能である保護されたメモリ位置に配置されるステップと、
ｂ．前記第一の機器と前記少なくともひとつのカメラとの間に通信リンクを確立するステップと、
ｃ．前記第一の機器が前記少なくともひとつの機器と通信リンクしているときに、前記第一の機器における前記管理指定集合を自動的に更新し、前記少なくともひとつの記憶表示機器の前記対応集合を更新するステップと、
を含むことを特徴とする方法。
【請求項６７】
複数の関連機器の間でデジタル画像の指定集合を維持し、画像製品を注文する方法であって、
a.第一の機器の中にデジタル画像の管理指定集合を、前記管理指定集合の中に前記第一の機器によって取得される前記画像の最高解像度と同等もしくはそれ以下の指定解像度で保持されるものを管理するために維持するステップであって、前記第一の機器は前記管理指定集合にデジタル画像を追加し、および／またはここから削除する能力を有し、前記第一の機器は少なくともひとつの関連する表示記憶機器と通信リンクを確立し、前記少なくともひとつの表示記憶機器の中に前記管理指定集合に対応するデジタル画像の対応集合を第二の指定された解像度で管理する能力を有し、前記少なくともひとつの記憶表示機器の各々はデジタル画像を取得し、前記新たに取得された画像が前記管理指定集合に追加されるべきか否かを特定する能力を有し、前記対応集合は、前記少なくともひとつのデジタル表示記憶機器の使用者が具体的な行動をとることによってのみ上書き可能である保護されたメモリ位置に配置され、前記機器は、前記対応集合の中の前記デジタル画像のひとつを指定する画像製品を注文するための選択入力を有するステップと、
ｂ．前記第一の機器と前記少なくともひとつの表示記憶機器との間に通信リンクを確立するステップと、
ｃ．前記第一の機器における前記管理指定集合の中の前記指定された画像の高解像度画像を使って前記画像製品を生成して、前記画像製品を自動的に提供するステップと、
を含むことを特徴とする方法。
【請求項６８】
デジタル画像を記憶するためのメモリを有するデジタル表示記憶機器であって、
前記メモリは前記デジタル表示記憶機器によって取得された画像を第一の解像度で記憶するために指定された第一の部分と、指定されたデジタル画像を第二の解像度で記憶するための第二のメモリ部分を有し、前記第二の部分は保護モードを有し、このモードでは、前記デジタル表示記憶機器の使用者が前記保護モードを無効にするまで前記第二のメモリ部分の中の前記デジタル画像の削除および／または上書きが防止され、前記第二の部分の前記保護モードが無効にされると、前記デジタル表示記憶機器の取得されたデジタル画像が、前記第二のメモリ部分の中の前記デジタル画像の上に前記新たに取得されたデジタル画像を上書きし、前記第二の部分の中の前記指定されたデジタル画像は、前記デジタル表示記憶機器と通信可能なホストコンピュータ上の命令によって管理されることを特徴とするデジタル表示記憶機器。
【請求項６９】
請求項６８に記載のデジタル表示記憶機器であって、
前記第二のメモリ部分の中の前記デジタル画像は、前記新たに取得されたデジタル画像を記憶するのに必要な範囲でのみ上書きされることを特徴とするデジタル表示記憶機器。
【請求項７０】
請求項６８に記載のデジタル表示記憶機器であって、
前記第二のメモリ部分の中の前記デジタル画像は、前記第一のメモリ部分が新たに取得されたデジタル画像をこれ以上記憶できなくなるまで上書きされないことを特徴するデジタル表示記憶機器。
【請求項７１】
請求項６８に記載のデジタル表示記憶機器であって、
前記新たに取得されたデジタル画像の消去は、前記新たに取得された画像を前記データベースにアップロードすることであることを特徴とするデジタル表示記憶機器。
【請求項７２】
請求項６８に記載のデジタル表示記憶機器であって、
前記第二のメモリ部分に、そこに記憶すべきものとして特定された画像を記憶するのに実際に必要なメモリ需要量が前記第二の部分に割り付けられたメモリ容量より小さいとき、前記第二のメモリ部分の余剰メモリは、前記デジタル表示記憶機器によって取得された新たな画像に関して使用することができることを特徴とするデジタル表示記憶機器。
【請求項７３】
請求項６８に記載のデジタル表示記憶機器であって、
デジタル表示記憶機器に記憶されたもののうち選択された画像の印刷は、前記選択された画像の第一の解像度の画像が記憶されたホスト機器を通じて実行され、前記第一の解像度の画像が前記印刷に使用されることを特徴とするデジタル表示記憶機器。
【請求項７４】
請求項６８に記載のデジタル表示記憶機器であって、
前記ホスト機器は、前記第一の解像度の画像が記憶されている場所に固有の識別表示を有し、前記固有の識別表示を使って、前記デジタル表示記憶機器と前記ホストコンピュータとの間のオーソライズされた通信が許可されることを特徴とするデジタル表示記憶機器。
【請求項７５】
請求項６８に記載のデジタル表示記憶機器であって、
前記デジタル表示記憶機器は、前記デジタル表示記憶機器と前記ホストコンピュータとの間のオーソライズされた通信を許可するために使用される固有の識別表示を有することを特徴とするデジタル表示記憶機器。
【請求項７６】
請求項６８に記載のデジタル表示記憶機器であって、
前記表示記憶機器はデジタルカメラであることを特徴とするデジタル表示記憶機器。
【請求項７７】
請求項６８に記載のデジタル表示記憶機器であって、
前記表示記憶機器はＰＤＡであることを特徴とするデジタル表示記憶機器。
【請求項７８】
請求項６８に記載のデジタル表示記憶機器であって、
前記表示記憶機器はポータブルコンピュータであることを特徴とするデジタル表示記憶機器。
【請求項７９】
請求項６８に記載のデジタル表示記憶機器であって、
前記表示記憶機器は携帯電話機内蔵カメラであることを特徴とするデジタル表示記憶機器。
【請求項８０】
請求項６８に記載のデジタル表示記憶機器であって、
前記第二の解像度は前記第一の解像度より低いことを特徴とするデジタル表示記憶機器。
【請求項８１】
請求項６８記載のデジタル表示記憶機器であって、
前記第二の解像度は前記第一の解像度と同じであることを特徴とするデジタル表示記憶機器。
【発明の詳細な説明】
【技術分野】
【０００１】
本発明は、画像を表示、再利用するために撮影、転送、保存、編集、処理することに関する。
【背景技術】
【０００２】
デジタル画像を撮影および／または保存できるさまざまなデジタル機器がある。このような機器の例が、デジタルカメラ、カメラ付き電話、ＰＤＡ（携帯情報端末）である。撮影された画像は通常、その機器の一部であるディスプレイ上で見られ、内蔵メモリやリムーバブルメモリカードにより提供される追加メモリに保存される。デジタル画像撮影機器に関して、内蔵またはカードメモリがデジタル画像ファイルで満杯になると、さらに写真（画像）を撮影するために、使用者は新しいメモリカードを入手するか、画像ファイルを画像プロバイダまたは、ＰＣあるいは記憶装置のような別の機器にコピーしなければならない。この工程の問題は、一旦転送されたデジタル写真に使用者が容易にアクセスできなくなる点である。使用者は、撮影した写真を再利用または表示するために、ＰＣやインターネットにアクセス可能である必要がある。予備のメモリカードや記憶装置を携帯すれば、一定の改善にはつながるが、画像を持ち運べる状態に管理、編集する作業は時間と労力を必要とする。
【０００３】
【特許文献１】米国特許出願公開第２００４／００３２５１３号明細書
【発明の開示】
【課題を解決するための手段】
【０００４】
本発明の目的のひとつは、使用者にとって容易にアクセス可能なデジタル写真を作るための方法とシステムを提供することである。本願で紹介する方法とシステムによれば、画像編集とデジタル写真保存の最適化の面でもいくつかの改良が得られる。本発明の別の目的は、カメラの使用者がカメラその他の画像撮影または携帯型記憶機器をどこに持って行こうと、お気に入りの写真をすべて携帯できるシステムを提供することである。使用者は、カメラのコントロール手段や適当なソフトウェアを搭載したＰＣを通じて、自分の好きな写真を特定する。特定されたお気に入りの画像を必要なサイズにして、携帯型デジタル画像撮影もしくは記憶装置の、特定された制限付きの内蔵メモリ位置に転送する。保存されたお気に入りのデジタル画像は、ビジュアルディスプレイ、電子メールでの転送、あるいは印刷（プリンタドック、Ｐｉｃｔｂｒｉｄｇｅまたはローカルプリンタ、キオスク、オンライン）を通じて共有できる。本発明のシステムは、デジタル画像撮影装置に「メモリ開放（フリーアップ・メモリ: free up memory）」モードを設け、このモードでは、使用者が内蔵メモリからそこに保存されている自分の好きな画像を一時的に削除できるようにする。その結果、使用者は開放された特定の制限付き内蔵メモリの中に新しい追加画像を取り込み、機器が次にホストＰＣにリンクされた後に、使用者の一連のルールセットに従って、特定された制限付き内蔵メモリ位置におけるブラッグブック(Bragbook)が復活する。
【０００５】
本発明のひとつの態様によれば、デジタル画像を保存および表示するためのメモリを備えるデジタル表示記憶機器が提供され、前記メモリは前記デジタル表示記憶機器によって取得された画像を保存するよう指定された第一の部分と、デジタル画像を保存するための第二のメモリ部分を有し、前記第二のメモリ部分には保護モードがあり、このモードおいては前記デジタル表示記憶機器の使用者が保護モードを無効にしないかぎり、前記第二のメモリ部分の中の前記デジタル画像の削除または上書きが防止され、前記第二の部分の前記保護モードが無効にされると、前記デジタル表示記憶機器は、前記第二のメモリ部分の前記デジタル画像の上に前記新たに撮影されたデジタル画像を上書きし、前記第二のメモリ部分の中の上書きされた前記デジタル画像は、前記デジタル表示記憶機器が前記上書きされたデジタル画像を復元するための情報を持つデータベースと通信リンクしている状態になり、前記第二のメモリの中の前記新たに取得された画像が前記デジタル表示記憶機器から消去された後に、前記第二のメモリ部分に復元される。
【０００６】
本発明の別の態様によれば、デジタル画像を記憶するためのメモリを有するデジタル表示記憶機器が提供され、前記メモリは前記デジタル表示記憶機器によって取得された画像を第一の解像度で記憶するために指定された第一の部分と、指定されたデジタル画像を前記第一の解像度より低い第二の解像度で記憶するための第二のメモリ部分を有し、前記第二の部分には保護モードがあり、このモードにおいては前記デジタル表示記憶機器の使用者が前記保護モードを無効にするまで前記第二のメモリ部分の中の前記デジタル画像の削除および／または上書きが防止され、前記第二の部分の前記保護モードが無効にされると、前記デジタル表示記憶機器の取得された画像は、前記第二のメモリ部分の中の前記デジタル画像の上に、前記新たに取得されたデジタル画像を上書きし、前記第二の部分の前記指定されたデジタル画像は、前記デジタル表示記憶機器と通信可能なホストコンピュータ上の命令によって管理される。
【０００７】
本発明のまた別の態様によれば、特定された指定の集合における設置のために指定されているデジタル画像を管理するためのシステムが提供され、このシステムは、
前記デジタル表示記憶機器と通信可能なコンピュータであり、その上の特定された集合の中に入れるものとして指定されていたデジタル画像を含む前記データベースを有し、前記第二のメモリ部分における前記デジタル画像の復元を可能にするコンピュータと、
前記デジタル画像を記憶するためのメモリを有する少なくともひとつのデジタル表示記憶機器を備え、前記メモリは前記デジタル表示記憶機器によって取得されたデジタル画像を記憶するために指定された第一の部分と、前記コンピュータ上の前記特定された指定集合の中の前記画像に対応するデジタル画像を記憶するための第二のメモリ部分を有し、前記第二のメモリ部分は保護モードを有し、このモードにおいては、前記デジタル表示記憶機器の使用者が前記保護モードを無効にするまで前記第二のメモリ部分の中の前記デジタル画像の削除が防止され、前記第二の部分の前記保護モードが無効にされると、前記デジタル表示記憶機器は、前記第二のメモリ部分の中の前記デジタル画像の上に新たに取得されたデジタル画像を上書きすることができ、前記表示記憶機器がデータベースと通信リンクしているときに、前記第二のメモリの中の前記新たに取得されたデジタル画像が消去された後、前記第二のメモリは前記コンピュータ上の前記特定された集合の中の前記デジタル画像に対応するよう復元される。
【０００８】
本発明のさらに別の態様によれば、デジタル表示記憶機器の制御に用いられるソフトウェア製品が提供され、前記デジタル表示記憶機器は、デジタル画像を記憶するためのメモリと他の機器と通信する通信機能を有し、コンピュータプログラムは、前記デジタル表示記憶機器に取り込まれると、前記表示記憶機器に以下のステップを実行させる：
前記メモリの第一のメモリ部分の中に取得されたデジタル画像を記憶させるステップと、
前記メモリの第二のメモリ部分に指定されたデジタル画像を記憶させるステップと、前記第二のメモリ部分は保護モードを有し、このモードでは、前記第二のメモリ部分の中の前記デジタル画像の削除が防止され、
前記デジタル表示記憶機器の使用者に前記保護モードを無効にさせ、前記第二のメモリ部分の前記保護モードが無効にされると、前記デジタル表示記憶機器は前記第二のメモリ部分の中の前記デジタル画像の上に、前記新たに取得されたデジタル画像を上書きできるようにするステップと、
前記カメラが上書きされた前記デジタル画像を復元するための情報を持つデータベースと通信すると、前記第二のメモリ部分の中の上書きされた前記デジタル画像を前記第二のメモリ部分に復元するステップ。
【０００９】
本発明の他の態様によれば、コンピュータに取り込まれると、前記コンピュータに次のステップを実行させるソフトウェアプログラムが提供される：
前記コンピュータの中の指定集合および少なくともひとつのデジタル表示記憶機器の中の対応する集合の中のデジタル画像の記憶を管理するステップと、前記デジタル表示記憶機器はデジタル画像を記憶するためのメモリと、前記コンピュータと通信するための通信機能を有し、前記メモリは前記表示記憶機器により取得されたデジタル画像を記憶するための第一の部分と、指定されたデジタル画像を長期的に記憶するための第二のメモリ部分を有し、前記プログラムは、どのデジタル画像を前記少なくともひとつの表示記憶機器の前記第二のメモリ部分の中に収めるかを管理し、前記少なくともひとつの表示記憶機器は、前記第二のメモリ部分の中の前記デジタル画像の削除を防止する保護モードを有し、前記デジタル表示記憶機器の使用者が前記保護モードを無効にすることができ、前記第二のメモリ部分の前記保護モードが無効にされると、前記デジタル表示記憶機器は前記第二のメモリ部分の中の前記デジタル画像の上に前記取得されたデジタル画像を上書きし、
前記表示記憶機器がコンピュータと通信しているときに、前記第二のメモリ部分の中の前記指定集合の中の、上書きされた前記デジタル画像を復元するステップ。
【００１０】
本発明のまた別の態様によれば、複数の関連する機器の中でデジタル画像の指定集合を維持するための方法が提供され、この方法は次のステップからなる：
a.第一の機器の中にデジタル画像の管理指定集合を、前記管理指定集合の中に前記第一の機器によって取得される前記画像の最高解像度と同等もしくはそれ以下の指定解像度で保持されるものを管理するために維持するステップと、前記第一の機器は前記管理指定集合にデジタル画像を追加し、および／またはここから削除する能力を有し、前記第一の機器は少なくともひとつの関連する表示記憶機器と通信リンクを確立し、前記少なくともひとつの表示記憶機器の中に前記管理指定集合に対応するデジタル画像の対応集合を第二の指定された解像度で管理する能力を有し、前記少なくともひとつの関連する記憶表示機器の各々はデジタル画像を取得し、前記新たに取得された画像が前記管理指定集合に追加されるべきか否かを特定する能力を有し、前記デジタル画像の対応集合は、前記少なくともひとつのデジタル表示記憶機器の使用者が具体的な行動をとることによってのみ上書き可能である保護されたメモリ位置に配置され、
ｂ．前記第一の機器と前記少なくともひとつの表示記憶機器との間に通信リンクを確立するステップと、
ｃ．前記第一の機器が前記少なくともひとつの関連機器と通信リンクしているときに、前記第一の機器における前記管理指定集合を自動的に更新し、前記少なくともひとつの関連する記憶表示機器の前記対応集合を更新するステップ。
【００１１】
本発明の他の態様によれば、デジタル画像を記憶し、表示するためのメモリを有するデジタルカメラが提供され、前記メモリは前記デジタルカメラによって取得される画像を記憶するために指定された第一の部分とデジタル画像を記憶するための第二のメモリ部分を有し、前記第二のメモリ部分は保護モードを有し、このモードでは、前記デジタルカメラの使用者が前記保護モードを無効にするまで、前記第二のメモリ部分の中の前記デジタル画像の削除もしくは上書きが防止され、前記第二の部分の前記保護モードが無効にされると、前記デジタルカメラは前記第二のメモリ部分の中の前記デジタル画像の上に前記新たに撮影されたデジタル画像を上書きし、前第二のメモリ部分の中の上書きされた前記デジタル画像は、前記デジタルカメラが上書きされた前記デジタル画像を復元するための情報を有するデータベースと通信リンクしているときに、前記第二のメモリの中の前記新たに撮影された画像が前記デジタルカメラから消去された後に前記第二のメモリ部分に復元される。
【００１２】
本発明のさらにまた別の態様によれば、特許請求範囲の請求項４０によるデジタルカメラおよび記憶機器が提供され、この機器において、ホスト機器は、より高解像度の画像が記憶される場所に固有の識別表示を有し、前記固有の識別表示を使って、前記デジタル表示記憶機器と前記ホスト機器との間のオーソライズされた通信が許可される。
【００１３】
本発明の他の態様によれば、デジタル画像を記憶するためのメモリを有するデジタルカメラが提供され、前記メモリは前記デジタルカメラによって撮影された画像を第一の解像度で記憶するために指定された第一の部分と、指定されたデジタル画像を前記第一の解像度より低い第二の解像度で記憶するための第二のメモリ部分を有し、前記第二の部分は保護モードを有し、このモードでは、前記デジタルカメラの使用者が前記保護モードを無効にするまで前記第二のメモリ部分の中の前記デジタル画像の削除および／または上書きが防止され、前記第二の部分の前記保護モードが無効にされると、前記デジタルカメラの撮影されたデジタル画像は、前記第二のメモリ部分の中の前記デジタル画像の上に前記新たに撮影されたデジタル画像を上書きし、前記第二の部分の中の前記指定されたデジタル画像は、前記デジタルカメラと通信可能なホストコンピュータ上の命令によって管理される。
【００１４】
本発明のまた別の態様によれば、特定された指定集合の中に入れるものとして指定されたデジタル画像を管理するシステムが提供され、このシステムは、
前記デジタルカメラと通信できるコンピュータと、前記コンピュータはその上の特定集合の中に入れるものとして指定されたデジタル画像を含み、前記第二のメモリ部分の中の前記デジタル画像の復元を可能にする前記データベースを有し、
デジタル画像を記憶するためのメモリを有する少なくともひとつのデジタルカメラを備え、前記メモリは前記デジタルカメラによって取得されたデジタル画像を記憶するよう指定された第一の部分と、前記コンピュータ上の前記特定された指定集合に対応するデジタル画像を記憶するための第二のメモリ部分を有し、前記第二のメモリは保護モードを有し、このモードでは、前記デジタルカメラの使用者が前記保護モードを無効にするまで前記第二のメモリ部分の中の前記デジタル画像の削除が防止され、前記第二の部分の前記保護モードが無効にされると、前記デジタルカメラは、前記第二のメモリ部分の中の前記デジタル画像の上に新たに取得されたデジタル画像を上書きすることができ、前記第二のメモリは、前記カメラがデータベースと通信リンクした状態となり、前記第二のメモリの中の前記新たに取得されたデジタル画像が消去された後に、前記コンピュータ上の前記特定された集合の中の前記デジタル画像に対応するよう復元される。
【００１５】
本発明の他の態様によれば、デジタルカメラの制御に使用されるソフトウェア製品が提供され、前記デジタルカメラは、デジタル画像を記憶するためのメモリと、他の機器と通信するための通信機能を有し、コンピュータプログラムは、前記デジタルカメラに取り込まれると、前記カメラに以下のステップを実行させる：
撮影されたデジタル画像が前記メモリの第一のメモリ部分に記憶されるのを可能にするステップと、
指定されたデジタル画像が前記メモリの第二のメモリ部分に記憶されるのを可能にするステップと、前記第二のメモリ部分は前記第二のメモリ部分の中の前記デジタル画像の削除を防止する保護モードを有し、
前記デジタルカメラの使用者が前記保護モードを無効にすることを可能にし、前記第二のメモリ部分の前記保護モードが無効にされると、前記デジタルカメラが前記第二のメモリ部分の中の前記デジタル画像の上に前記新たに取得されたデジタル画像を上書きすることができるようにするステップと、
前記カメラが、上書きされた前記デジタル画像を復元するための情報を有するデータベースと通信しているときに、前記第二のメモリ部分の中の上書きされた前記デジタル画像を復元するステップ。
【００１６】
本発明のさらに別の態様によれば、コンピュータに取り込まれたときに前記コンピュータに以下のステップを実行させるソフトウェアプログラムが提供される：
前記コンピュータの指定集合および少なくともひとつのデジタルカメラの対応集合の中のデジタル画像の記憶を管理するステップと、前記デジタルカメラはデジタル画像を記憶するためのメモリと、前記コンピュータと通信するための通信機能を有し、前記メモリは前記カメラにより取得されたデジタル画像を記憶するための第一の部分と、指定されたデジタル画像を長期的に記憶するための第二のメモリ部分を有し、前記プログラムは、どのデジタル画像を前記少なくともひとつのカメラの前記第二のメモリ部分の中に収めるかを管理し、前記少なくともひとつのカメラは、前記第二のメモリ部分の中の前記デジタル画像の削除を防止する保護モードを有し、前記デジタルカメラの使用者が前記保護モードを無効にすることができ、前記第二のメモリ部分の前記保護モードが無効にされると、前記デジタルカメラは前記第二のメモリ部分の中の前記デジタル画像の上に前記取得されたデジタル画像を上書きし、
前記カメラがコンピュータと通信しているときに、前記第二のメモリ部分の中の前記指定の集合の中の、上書きされた前記デジタル画像を復元するステップ。
【００１７】
本発明のまた別の態様によれば、複数の機器の間でデジタル画像の指定集合を維持する方法が提供され、この方法は、
a.第一の機器の中にデジタル画像の管理指定集合を、前記指定集合の中に前記第一の機器によって取得される前記画像の最高解像度と同等もしくはそれ以下の指定解像度で保持されるものを管理するために維持するステップを含み、前記第一の機器は前記管理指定集合にデジタル画像を追加し、および／またはここから削除する能力を有し、前記第一の機器は少なくともひとつのカメラと通信リンクを確立し、前記少なくともひとつのカメラの中に前記指定集合に対応するデジタル画像の対応集合を前記指定解像度で管理する能力を有し、前記少なくともひとつの関連する記憶表示機器の各々はデジタル画像を取得し、前記新たに取得された画像が前記管理指定集合に追加されるべきか否かを特定する能力を有し、前記対応集合は、前記少なくともひとつのデジタルカメラの使用者が具体的な行動をとることによってのみ上書き可能である保護されたメモリ位置に配置され、
ｂ．前記第一の機器と前記少なくともひとつのカメラとの間に通信リンクを確立するステップを含み、
ｃ．前記第一の機器が前記少なくともひとつの機器と通信リンクしているときに、前記第一の機器における前記管理指定集合を自動的に更新し、前記少なくともひとつの記憶表示機器の前記対応集合を更新するステップを含む。
【００１８】
本発明のさらにまた別の態様によれば、複数の関連機器の間でデジタル画像の指定集合を維持し、画像製品を注文する方法が提供され、この方法は、
a.第一の機器の中にデジタル画像の管理指定集合を、前記管理指定集合の中に前記第一の機器によって取得される前記画像の最高解像度と同等もしくはそれ以下の指定解像度で保持されるものを管理するために維持するステップを含み、前記第一の機器は前記管理指定集合にデジタル画像を追加し、および／またはここから削除する能力を有し、前記第一の機器は少なくともひとつの関連する表示記憶機器と通信リンクを確立し、前記少なくともひとつの表示記憶機器の中に前記管理指定集合に対応するデジタル画像の対応集合を第二の指定された解像度で管理する能力を有し、前記少なくともひとつの記憶表示機器の各々はデジタル画像を取得し、前記新たに取得された画像が前記管理指定集合に追加されるべきか否かを特定する能力を有し、前記対応集合は、前記少なくともひとつのデジタル表示記憶機器の使用者が具体的な行動をとることによってのみ上書き可能である保護されたメモリ位置に配置され、前記機器は、前記対応集合の中の前記デジタル画像のひとつを指定する画像製品を注文するための選択入力を有し、
ｂ．前記第一の機器と前記少なくともひとつの表示記憶機器との間に通信リンクを確立するステップを含み、
ｃ．前記第一の機器における前記管理指定集合の中の前記指定された画像の高解像度画像を使って前記画像製品を生成して、前記画像製品を自動的に提供するステップを含む。
【００１９】
本発明の他の態様によれば、デジタル画像を記憶するためのメモリを有するデジタル表示記憶機器が提供され、前記メモリは前記デジタル表示記憶機器によって取得された画像を第一の解像度で記憶するために指定された第一の部分と、指定されたデジタル画像を第二の解像度で記憶するための第二のメモリ部分を有し、前記第二の部分は保護モードを有し、このモードでは、前記デジタル表示記憶機器の使用者が前記保護モードを無効にするまで前記第二のメモリ部分の中の前記デジタル画像の削除および／または上書きが防止され、前記第二の部分の前記保護モードが無効にされると、前記デジタル表示記憶機器の取得されたデジタル画像が、前記第二のメモリ部分の中の前記デジタル画像の上に前記新たに取得されたデジタル画像を上書きし、前記第二の部分の中の前記指定されたデジタル画像は、前記デジタル表示記憶機器と通信可能なホストコンピュータ上の命令によって管理される。
【００２０】
本発明の上記およびその他の態様、目的、特徴、利点は、好ましい実施形態に関する以下の詳細な説明と付属の特許請求範囲ならびに添付の図面を参照することによってより明確に理解、認識されるであろう。
【発明を実施するための最良の形態】
【００２１】
以下の本発明の好ましい実施形態の詳細な説明においては、添付の図面を参照する。
【００２２】
本発明を解釈する上で、「ブラッグブック:(Bragbook)」とは、コンピュータや装置のメモリに保存され、使用者がどこにでも携帯し、お気に入りの思い出の画像を見たり、他人に見せたり、また再現することができる、お気に入りに特定されたデジタル画像の集合として指定されたものを意味する。お気に入りのデジタル画像は、使用者が適切に指定する内容の画像であり、たとえば、これらに限定されないが、個人の一番最近の出来事や行事、あるいは最も大切な、または特別な瞬間等がある。ブラッグブックは、使用者がいつでも、どこでも、「生涯にわたる写真」を共有できるように、お気に入りの写真を長期間保存するために設計されることが好ましい。
【００２３】
図１を見ると、本発明によって構築されたシステム１０が描かれ、各種のブラッグブックの設定や各種の操作上の想定パターンにかかわる主要なコンポーネントと接続性が示されている。システム１０は、画像の保存に使用されるコンピュータ１２を備え、これは、ひとつの実施形態において、適切なソフトウェアアプリケーションを用いてブラッグブックを作成するのに使用される。ブラッグブックを作るための適当なソフトウェアの一例は、イーストマン・コダック社が販売するソフトウェア、ＥａｓｙＳｈａｒｅである。システム１０はまた、コンピュータ１２が各々自己のブラッグブックを有する各種の他の機器と通信するための通信ネットワーク１４を備える。各種の機器が有する各種のブラッグブックは、後述のように、ある特定された画像を共通して持つように設計される。図の実施形態において、通信ネットワーク１４はインターネットである。通信ネットワーク１４は、さまざまなシステムによる画像撮影および保存コンポーネント１６，１８，２０，２２の間のデータとデジタル画像ファイルを送受信する手段となる。図の実施形態において、コンポーネント１６はデジタルカメラ、コンポーネント１８はポータブルＰＣ、コンポーネント２０は携帯電話機内蔵カメラ、コンポーネント２２は、携帯情報端末（ＰＤＡ）である。システム１０はまた、画像共有、保存および印刷サービスを提供するＯｆｏｔｏ等のサービスプロバイダ２４や携帯電話内蔵カメラ２０およびその他の無線携帯機器に電話およびデータサービスを提供する携帯電話事業者も含む。デジタルカメラ１６、ポータブルコンピュータ１８、携帯情報端末（ＰＤＡ）２２および携帯電話機内蔵カメラ２０は、画像撮影、転送、保存および／または表示機能を果たす。
【００２４】
図２は、ひとつのブラッグブック画像を作るためのプロセスを、使用者がデジタルカメラ１６等のデジタル画像撮影機器を使ってデジタル画像を撮影する最初のステップ１００から説明する。また、どの程度まで画像を自動的に転送するかに関するルールを設定することができる。ステップ１１０において、使用者はデジタルカメラ１６のデバイスインタフェースを使って画像を「お気に入り」に指定する。次のステップ１２０で、画像（お気に入りのタグ付きの画像とそれ以外の画像の両方）はデジタルカメラ１６からホストコンピュータ１２に転送され、ここで、ステップ１３０において、すでにお気に入りと特定されている画像については「お気に入り」のタグが付いたままとされる。しかしながら、画像を各種の関連機器のそれぞれのブラッグブックの中に自動的に送るには、そのような通信を行ってもよいという事前の許可および事前の特定が必要となる。各機器の中のソフトウェアに含まれるシリアル番号および／またはその他の情報を使って、相互に通信し、画像を転送することが許可される具体的な関連機器を指定することができる。この転送は一般にコンピュータ１２のＵＳＢポート等の入力ポートを使用するハードワイヤ接続か、ＷＩＦＩまたはＢｌｕｅｔｏｏｔｈ技術等の無線接続のいずれかによって実現される。コンピュータ１２には、各種機器間の通信と画像転送を可能にする事前特定と事前許可を設定するためのソフトウェアプログラムがインストールされている。ＥａｓｙＳｈａｒｅソフトウェアをはじめとするこのようなソフトウェアはまた、コンピュータ１２のブラッグブックの画像とこのブラッグブックへの、および／またはこのブラッグブックから各種の関連機器への画像の転送を管理する。このソフトウェアは、コンピュータ１２上のブラッグブックに保持される画像および、関連機器については、関連機器への、また関連機器からの画像転送が行われるよう特定されるものに関するルールを使用者が設定できるように設計されている。当然のことながら、各種の関連機器のソフトウェアはそれぞれ、各々のブラッグブックの中に収めるべきお気に入りの画像を特定するためのソフトウェアとこれらの画像を管理するためのルールを持っている。コンピュータ１２のソフトウェアは、どの画像をブラッグブックに入れるべきか、また、どの画像を各種の関連機器と共有し、それぞれのブラッグブックに収めるべきかを制御するコントロールブラッグブックを作る。したがって、ホストコンピュータ１２のブラッグブックは、関連機器がそれぞれのブラッグブックの中に何を保持するかを管理する際に依存する管理用コンピュータと考えることができる。コントロールブラッグブックの中の画像の解像度は、ステップ１４０においてお気に入りとして特定され、最近ホストコンピュータ１２に転送された、フル解像度撮影デジタル画像から取得される。ブラッグブックの中の画像の解像度は、高品質４×６ハードコピープリント、ＨＤＴＶ、ＤＶＤ、フルスクリーン・モニタ・ディスプレイおよびその他のデジタル規格を実現しながら、全体としてのファイルサイズは迅速な無線転送が可能な程度に十分に小さいままとなるよう選択される。好ましくは、ブラッグブックの画像の解像度は一般���、約１，０２４×７６８に設定される。オリジナルの画像の全体解像度（フル解像度: full resolution）がブラッグブックの解像度より低ければ、画像はアップサンプル（補間）されず、ブラッグブックの中に全体解像度のまま維持される。
【００２５】
作成されたブラッグブックの解像度の画像は、ホストコンピュータ１２のカメラ（またはその他の関連機器）に関連する集合の中に保存される。ホストコンピュータ１２のブラッグブックの集合に新たなお気に入りが追加されると、これは、次回ホストコンピュータ１２とカメラ１６またはその他の関連機器が通信状態となったときにカメラその他の関連機器に送り返される。
【００２６】
図３は、使用者がホストコンピュータ１２に保存された画像をカメラ１６のブラッグブックに追加することが可能な、本発明の別のプロセスを説明するものである。使用者は、ホストコンピュータ１２に保存されている、あるいは転送され、使用者によってブラッグブックの集合に収めるべきお気に入りとして特定された画像（単数または複数）にタグを付ける。コンピュータ１２のソフトウェアは次に、今タグが付けられたばかりの写真のブラッグブック用解像度の画像を作り（ステップ１８０）、これを所定のルールに従って、コンピュータ１２上のカメラ１６に関連するブラッグブックの中に保存する。ブラッグブックの集合は、次回コンピュータ１２がカメラ１６と通信状態になったときに、カメラに転送される（ステップ２００）。カメラ１６のブラッグブックの各画像のコピーが、ＰＣ上にそのカメラ解像度または利用可能な最高解像度で保存される。
【００２７】
ブラッグブックの画像集合は、ひとつの実施形態においては、デジタルカメラ１６の内蔵メモリの中に保存される。カメラ内蔵記憶装置とは、Ｓｅｃｕｒｅ  Ｄｉｇｉｔａｌ  Ｆｌａｓｈ  Ｍｅｍｏｒｙカード等のメモリカードを追加せずに、デジタルカメラ内で利用できるメモリである。たとえば、内蔵メモリの容量が２５６ＭＢで、その５０％がブラッグブック用画像に割り付けられるとすると、内蔵メモリの１２８ＭＢをブラッグブック用画像の保存に使用できる。ブラッグブック用画像にメモリの何パーセントを割り付けるかは、カメラ１６上のソフトウェア内のユーザ・プレファレンス設定またはホストコンピュータ１２のソフトウェアによる設定で選択できる。ブラッグブックの画像の保存に実際に使用されるブラッグブック用メモリ容量が、ブラッグブックに割り付けられたメモリ容量より小さい場合、未使用のメモリは、カメラ１６によって撮影された新しい画像の保存に使用できる。
【００２８】
図４を参照すると、カメラ１６のメモリマップが示されている。メモリマップは、内蔵メモリ４１０とＳＤカードメモリ４５０からなる。システム制御領域４２０は、システムのソフトウェアとデータのために留保される。内蔵メモリにおいては、ブラッグブック向け解像度の画像を保存するよう特に設計された制限付き内蔵メモリ位置／領域４３０が指定されている。メモリ位置／領域４３０は、カメラ１６がここに保存された画像を削除または上書きするには、使用者がその保護モードを無効にするための直接的な行動をとらなければならないという点で制限されている。たとえば、カメラの制御インタフェースを使ってこの制限を無効にすることができる。図のように、内蔵メモリ領域４３０は、内蔵メモリ４１０のサブセットである。内蔵メモリ４１０には、カメラの解像度でカメラ１６によって撮影された画像を保存するための最近撮影された画像用メモリ位置／領域４４０もある。メモリカード記憶装置４５０のサブセットとしても最近撮影された画像用メモリ位置／領域４６０があり、これもまた、カメラの解像度でカメラ１６によって撮影された画像を保存するのに使用される。お気に入り画像用ブロック４７０は、使用者によってお気に入りのタグが付けられた画像を示すのに用いられる。
【００２９】
本発明の好ましい実施形態において、使用者はブラッグブック用画像に割り付けられたメモリの中のメモリを一時的に開放し、内蔵メモリ位置４３０の中のこのメモリを使ってカメラ解像度で撮影された追加の画像を保存することができる。前述のように、これには、使用者による何らかの直接的な行動が必要となる。メモリの開放により、使用者は追加のメモリカードを必要とせずに、あるいは画像をＰＣの記憶装置に転送してから、その画像をカメラの記憶装置から削除することなく、さらに多くの写真を撮影することができる。次回、使用者がカメラの画像をＰＣの記憶装置に転送すると、カメラ１６に保存されたブラッグブックが制限付き内蔵メモリ４３０の中で復元される。ブラッグブック内の画像はいくつかの方法で編集でき、たとえば画像に関連する説明のためのタグを付け、あるいはこれらの画像を別のアルバムに入れることができる。
【００３０】
図５は、カメラ１６に保存された、ブラッグブックの中に保存されたものを含むすべての画像にアクセスし、あるいはこれらを閲覧するためのさまざまな方法を示す。回想／表示ブロック２１０には、カメラ１６の画像を閲覧するためのさまざまな選択がある。この選択は、たとえば、これらに限定されないが、選択ボタンやスイッチ等、カメラ１６にある適当なインタフェース制御手段によって行うことができる。図の実施形態において、回想／表示ブロック２１０には、最近撮影された画像２２０、内蔵メモリ位置４３０に保存されたお気に入り画像またはカメラ１６によって最近撮影され、ブラッグブックに入れるためのお気に入りのタグを付けられたデジタル画像２３０、日付により関連付けられた画像２４０およびアルバムによって分類される画像２５０という選択がある。使用者は、これらの閲覧オプションのひとつを選択することにより、さまざまな記憶構造と属性を持つ画像２６０にアクセスできる。最近撮影された画像２８０は、内蔵メモリ４４０または、リムーバブルメモリカード４５０の外付けメモリ４６０のいずれかによってカメラの中に保存されたカメラ解像度撮影画像である。最近撮影された画像２８０とブラッグブック用画像２７０には、お気に入りのタグ２９０が付けられる。お気に入りを閲覧することは、使用者が内蔵メモリ位置４３０に保存されたブラッグブック用解像度の画像とメモリ位置４４０および／またはメモリ位置４６０に保存されたカメラの全体解像度による画像の組み合わせを同時に見ることを意味する。アルバム３２０には、最近撮影された画像と保存されたブラッグブック用画像とお気に入り画像が含まれる。カメラに保存されたすべての画像に、データ属性３１０のタグが付けられる。ブラッグブック画像には、テキストキャプションやオーディオクリップで注釈をつけることもできる。これらの画像は個々に閲覧でき、あるいはカメラ１６でのスライドショープレゼンテーションで再生もできる。ブラッグブック用画像はまた、いくつかの画像処理方法によって調整してもよい。ブラッグブックを編集し、これに注釈をつけることは、カメラ／機器の制御手段および／またはコンピュータ１６のソフトウェアを通じて実現される。
【００３１】
使用者はある時点で、カメラ１６とホストコンピュータ１２との通信リンクを構築する。この通信リンク中、同期イベントが自動的に発生し、コンピュータ１２でお気に入りのタグが付けられた画像が、カメラ１６で新たにタグが付けられた画像、内蔵メモリ４３０内に保存された画像およびコンピュータ１２内の画像と同期する。同期イベントが終了すると、コンピュータ１２のブラッグブックの中の画像は、カメラ１６のブラッグブックと同一となり、その中で、新たにタグが付けられたお気に入り画像がブラッグブック用に指定された解像度で提供される。ソフトディスプレイ(soft display)のほかに、画像を電子メールで共有し、あるいはプリンタに転送して、プリントを生成してもよい。印刷がホストソフトウェアを通じて行われる場合、カメラ解像度によるオリジナルバージョンの画像を使って、可能なかぎり最高品質のプリントが生成される。ホストソフトウェアは、ブラッグブック用画像をそのオリジナル画像ファイルにリンクさせるデータベースを維持する。ブラッグブック用画像は、アーカイブ／バックアップ目的のためのセットとして、あるいはＣＤまたはウェブサイト上で公開するために転送される場合もある。
【００３２】
画像／動画のブラッグブックセットを作成するには、マニュアルモード、お気に入り画像自動保存モード、全部自動保存モード等、いくつかの方法がある。マニュアルモードでは、使用者は、コンピュータ１２のブラッグブックの集合に画像／動画を手作業で追加または削除する。これは一般に、コンピュータ１２のホストソフトウェアによってサポートされるが、カメラもこの機能を有効にできる。カメラ１６とコンピュータ１２のホストソフトウェアによる画像転送イベント中、前述のように、ホストＰＣとカメラ１６のブラッグブックの集合は更新されて同一となる。マニュアルモードでは、ブラッグブック内の画像／動画の順番が保護される。画像／動画は、コンピュータ１２またはカメラ１６のブラッグブックの集合に、カメラのブラッグブック用画像に割り付けられたメモリ容量を超えるまで追加される。画像のアルバムまたはグループをブラッグブックの集合に追加することもできる。使用者が画像／動画をカメラ１６とホストソフトウェアのブラッグブックの集合に独立して追加できるシステムの場合、同期動作によって、日付の点でより最近撮影された画像／動画が、利用可能な割付メモリ容量を超えないように保存される。ある構成において、ブラッグブックに手作業で収められた画像／動画には、お気に入りおよび保護画像のタグが付けられる。保護画像を削除するには、まず、使用者が保護を解除しなければならない。保護されたお気に入り画像は、保護されていないお気に入り画像より優先的にブラッグブックの中に収められる。お気に入り画像自動保存モードでは、お気に入りのタグが付けられたすべての画像がブラッグブック用画像に割り付けられたメモリ容量を超えるまでブラッグブックに収められる。アルバム全体にお気に入りのタグが付けられた場合は、このアルバムの中のすべての画像と動画がお気に入りとみなされ、ブラッグブックに追加される。ある構成において、ブラッグブックに割り付けられたメモリが満杯になると、撮影日がより最近のお気に入り画像が最も古いお気に入り画像の代わりに入る。別の構成では、保護されていない最も古いお気に入り画像の代わりに入る。全部自動保存モードにおいて、ホスト集合に保存されたすべての画像が、ブラッグブック用画像に割り付けられたメモリ容量を超えるまで、ブラッグブックの中に収められる。他のモードと同様に、ブラッグブックメモリ割付分を超過した場合に新しい画像を追加するのに、いくつかの戦略を利用できる。使用者がマニュアルモードと自動モードを切り替えると、移行時の一連のブラッグブック用画像が新たな操作モードのための初期ブラッグブックとなる。自動モードでは、カメラからホストソフトウェアへの画像転送イベントの結果、ブラッグブックの集合は更新され、同期される。新しい画像だけを転送すればよく、カメラの画像集合全体や新たに更新されたブラッグブックの集合は転送する必要がない。
【００３３】
ホストソフトウェアとの同期後、機器（カメラ１６、携帯電話機内蔵カメラ２０、ＰＤＡ２２、ビューワ等）に保存されているブラッグブックの集合は、その時点でＰＣに保存されているブラッグブックの集合とまったく同じコピーとなる。一般に、これらのブラッグブックの集合には、そのブラッグブックのコピーが保存される機器の機種番号と名前を使って固有の名前が付けられる。ＰＣに保存され、固有の名前（識別表示）が付けられたブラッグブックの集合は、そのコピーを持つことになる対応する機器のための優先またはコントロールブラッグブックの集合と呼ばれる。つまり、コンピュータ１２のブラッグブックに、同期する機器のブラッグブックとの違いがある場合、コンピュータのブラッグブックにより、どの画像を使用者が設定したルールに従って各種のブラッグブックの集合から削除すべきかが決定される。ブラックブックの集合に画像を追加するのは、リンクするどの機器でもできるが、画像を削除できるのは、コントロールするコンピュータまたはその他の機器だけである。
【００３４】
いずれかのブラッグブックの中の画像の印刷は、その機器からプリンタまたはサービスプロバイダに通信ネットワーク１４上で画像をダウンロードすることによって行われる場合がある。その結果、画像は現在そのブラッグブックに見られる解像度で印刷される。あるいは、その画像については、コンピュータ１２等、コントロールブラッグブックにおいてより高い解像度を持つと特定される場合もある。したがって、カメラ１６またはその他の関連機器がサービスプロバイダによって実行されるべき印刷注文を送信し、または出すと、選択された画像に関連する情報によって、ホストコンピュータ１２等、より高い解像度の画像が保存されている場所の電子的アドレス／識別を含めた、より高位の保存画像と保存位置が特定される。すると、サービスプロバイダはコンピュータ１２にアクセスし、あるいはアクセスを要求し、印刷のためにより高い解像度の画像を取得することができる。ホストコンピュータ１２における高い解像度の画像の取得は勿論、ホストコンピュータ１２で設定されるルールに従って行われる。
【００３５】
上記の実施形態では、コンピュータ１２が他の関連機器によってコントロール的情報源として依存されるブラッグブックのコントロールデータベースとして説明されているが、各種の関連機器のいずれでも、他の機器がブラッグブックの中のものを管理する際に依存するコントロール的情報源／データベースとして特定することができる。また、当然のこととして、ひとつの機器の中で複数のブラッグブックを特定し、各ブラッグブックの中の画像をさらにアルバムや具体的な画像に分類して、その特定の画像および／またはアルバムに関するルールに従って共有されるようにすることもできる。カメラを用いた実施形態では、制限付き内蔵メモリに入れるように指定された新たな画像はカメラによって取得されると述べられているが、これらの画像はどの機器またはシステムを使っても取得できる。たとえば、新たな画像は、インターネットその他の通信ネットワークを通じて取得され、あるいは他の関連する、または関連しない機器から直接その機器に提供される場合もある。このように取得された画像には、受信した機器によってお気に入りとしてフラッグが立てられ、関連機器またはコントロール的データベースと通信リンクが確立されると、所定のルールに従って適当な画像交換が行われる。
【００３６】
別の実施形態におけるブラッグブックは、画像、アルバムおよび／またはブラックブック全体を共有するための便利な情報源として使用できる。この場合、友人や家族の複数の機器にそれぞれの個人的なブラッグブックがあることになる。画像、アルバムまたはブラッグブック全体を、機器間の有線または無線データ転送によって、機器間で直接共有することができる。ブラッグブック用画像は、転送先の機器のブラッグブック領域に自動的に保存される。この場合、画像をブラッグブック用の解像度に画像をリサイズする必要はなく、またブラッグブック用画像のホストとなるコントロールデータベースへの通信リンクが確立されるのを持つ必要もない。転送先の機器は受信した画像を受け入れるだけでよく、将来、コントロールデータベースとの通信リンクが確立されると、受信した画像がコントロールデータベースの一部となる。
【００３７】
本発明の以上の説明は基本的に画像に関して行ったが、本発明はこれに限定されず、画像という用語はブラッグブックに保存可能な動画および／または音声も含む。
【００３８】
本発明は、特定の好ましい実施形態に関して詳細に説明したが、本発明の精神と範囲から逸脱することなく、変更や改変も実現可能であることは容易に理解されるであろう。
【図面の簡単な説明】
【００３９】
【図１】本発明にしたがって動作するシステムの概略図である。
【図２】携帯型画像記憶装置において特定された制限付きメモリ位置に入れるためのお気に入りのデジタル画像を特定する際のハイレベルワークフローを示すフローチャートである。
【図３】ＰＣに保存された画像を、携帯型画像記憶装置において特定された制約付きメモリ位置に追加する様子を示すフローチャートである。
【図４】本発明のひとつの実施形態によるカメラ内蔵メモリの物理的レイアウトの図であり、カメラ内の特定された制約付きメモリ位置を示す。
【図５】本発明のひとつの実施形態によるカメラによって使用者が閲覧できるものを示す図である。
【図１】
2008515280.tif 000003
【図２】
2008515280.tif 000004
【図３】
2008515280.tif 000005
【図４】
2008515280.tif 000006
【図５】
2008515280.tif 000007
【国際調査報告】
2008515280.tif 000008
2008515280.tif 000009